(57)【要約】【課題】下肢置き面の高方向や長さ方向を自由に調節することが可能な下肢置き台を提供する。【解決手段】  第１のスライド機構と第２のスライド機構から成る高さ調節手段を介して互いに上下方向へスライド可能に連結された下肢乗せ部と基台部とから成り、前記下肢乗せ部を第３のスライド機構から成る第１の長さ調節手段を介して互いに前後方向へスライド可能に連結されて前記下肢置き面を形成する上部正面部材と上部背面部材とで構成し、前記基台部を第４のスライド機構から成る第２の長さ調節手段を介して互いに前後方向へスライド可能に連結された下部正面部材と下部背面部材とで構成することにより解決した。【選択図】図１
2010167160.tif 000002
【特許請求の範囲】
【請求項１】
少なくとも膝上から下の下肢全体を置くことができるところの下肢置き面を床面に対して傾斜して設けた下肢置き台であって、
第１のスライド機構と第２のスライド機構から成る高さ調節手段を介して互いに上下方向へスライド可能に連結された下肢乗せ部と基台部とから成り、
前記下肢乗せ部は第３のスライド機構から成る第１の長さ調節手段を介して互いに前後方向へスライド可能に連結されて前記下肢置き面を形成する上部正面部材と上部背面部材から成り、
前記基台部は第４のスライド機構から成る第２の長さ調節手段を介して互いに前後方向へスライド可能に連結された下部正面部材と下部背面部材とから成る、
ことを特徴とする、下肢置き台。
【請求項２】
請求項１において、
さらに、前記上部背面部材には、踵を支持する踵支持部材が第５のスライド機構から成る第３の長さ調節手段を介して傾斜方向にスライド調節可能に取り付けられている、
ことを特徴とする、下肢置き台。
【請求項３】
請求項１において、
前記下部正面部材と下部背面部材を前後方向へスライド可能に連結する前記第２の長さ調節手段が、前記下部正面部材と下部背面部材のいずれか一方に取り付けた第１の連結ステーと、前記下部正面部材と下部背面部材のいずれか他方に取り付けた第２の連結ステーとを有し、前記第１の連結ステーと第２の連結ステーを互いにスライド可能に連結したものであることを特徴とする、下肢置き台。
【発明の詳細な説明】
【技術分野】
【０００１】
本発明は、椅子に座った状態で人が下肢を休めるために使用して好適な下肢置き台に関する。
【背景技術】
【０００２】
従来から、デスク作業の際や休憩のときに足を休めるための「足置き台」は多数発明され、種々ものが公知となっている。
【０００３】
例えば、特許文献１に示されているような空気注入により膨らませて使用する携帯用の足置き台（フットレスト）や、特許文献２および３に示されているような折りたたみ式の携帯用足置き台をはじめとして、特許文献４に示されているような足を置く部分の高さ調節・角度調節が可能な足置き台などである。
【先行技術文献】
【特許文献】
【０００４】
【特許文献１】特開２０００−１３９６１９号公報
【特許文献２】特開２００１−４６４６１号公報
【特許文献３】特開２００２−２２３８９２号公報
【特許文献４】特表平１１−５０３６４７号公報
【発明の概要】
【発明が解決しようとする課題】
【０００５】
これら公知の「足置き台」は、折り畳み機能や角度調節・高さ調節機能を有し、携帯時のコンパクト性や使用時の微調節を可能としているものの、足裏だけを載せることを前提に構成されているものであり、例えは大腿部の膝寄り側から下腿部及び足部にかけての下肢全体を置いて支えることができる機能は有していない。
【０００６】
また、下肢全体の長さは人によって異なり、足裏の長さ（所謂「靴のサイズ」と同義）以上に個人差が激しい。即ち、下肢全体を下肢置き台において下肢を休めるには、下肢全体の長さに応じて下肢を置く面（以下単に「下肢置き面」という）の長さをある程度調節できることが好ましい。なお、当初より下肢置き面の長さを「下肢全体の長さ」が長い人に合わせて設定しておくことも可能であるが、それでは下肢置き台自体が大きくなってしまい、特に小柄な人や子供にとっては下肢置き台を使用するために必要な設置スペースが過大となり、使い勝手が悪いといった問題がある。
【０００７】
そこで本発明は、このような問題点を解決することをその課題とし、下肢を置いて休ませた楽な姿勢でデスクワークや勉強等をすることができ、下肢を載せる下肢置き面の長さや高さをある程度の範囲で自由に調節することが可能な下肢置き台を提供することを目的としている。
【０００８】
なお、下肢とは一般に、大腿部、膝部、下腿部、及び足部を含んでいるが、本願明細書において、下肢とは大腿部の膝部から上（膝上とも言う）の一部分、膝部、下腿部、及び足部を含む意味でも用いている。
【課題を解決するための手段】
【０００９】
上述した目的を達成するために、本発明は、少なくとも膝上から下の下肢全体を置くことができるところの下肢置き面を床面に対して傾斜して設けた下肢置き台であって、第１のスライド機構と第２のスライド機構から成る高さ調節手段を介して互いに上下方向へスライド可能に連結された下肢乗せ部と基台部とから成り、前記下肢乗せ部は第３のスライド機構から成る第１の長さ調節手段を介して互いに前後方向へスライド可能に連結されて前記下肢置き面を形成する上部正面部材と上部背面部材から成り、前記基台部は第４のスライド機構から成る第２の長さ調節手段を介して互いに前後方向へスライド可能に連結された下部正面部材と下部背面部材とから成る、ことを特徴とする。
【００１０】
その際に本発明は、前記上部背面部材に、さらに踵を支持する踵支持部材を第５のスライド機構から成る第３の長さ調節手段を介して傾斜方向にスライド調節可能に取り付けることができる。
【００１１】
本発明はさらに、前記下部正面部材と下部背面部材を前後方向へスライド可能に連結する前記第２の長さ調節手段を、前記下部正面部材と下部背面部材のいずれか一方に取り付けた第１の連結ステーと、前記下部正面部材と下部背面部材のいずれか他方に取り付けた第２の連結ステーとで構成し、前記第１の連結ステーと第２の連結ステーを互いにスライド可能に連結したものであることを特徴とする。
【発明の効果】
【００１２】
本発明を適用することにより、とくに椅子に座っての長時間に渡るデスクワークや勉強時等において、下肢を置いて楽な姿勢をとることができることから、下肢が疲れるのを防止でき、また、下肢置き面を下肢全体の長さに応じてその長さを調節したり、椅子の高さに応じて下肢置き面の高さを調節したできることによって、使い勝手の良さを発揮することができるものである。
【図面の簡単な説明】
【００１３】
【図１】本発明の実施形態の一例を示す下肢置き台の斜視図
【図２】同右側面図
【図３】図１のＡ−Ａ線断面図である。
【図４】図２のＢ−Ｂ線断面図ある。
【図５】図２のＣ−Ｃ線断面図である。
【図６】連結ステーを示した図であって、（Ａ）第１の連結ステーを示し、（Ｂ）は第２の連結ステーを示している。
【図７】下肢置き台の使用例を示した図である。
【発明を実施するための形態】
【００１４】
以下、添付図面を参照しつつ、本発明の実施形態の一例について詳細に説明する。
【００１５】
図１は本発明の実施形態の一例を示す下肢置き台の斜視図である。図２は同右側面図である。図３は図１のＡ−Ａ線断面図である。図４は図２のＢ−Ｂ線断面図ある。図５は図２のＣ−Ｃ線断面図である。図６は連結ステーを示した図であって、（Ａ）第１の連結ステーを示し、（Ｂ）は第２の連結ステーを示している。図７は下肢置き台の使用例を示した図である。
【００１６】
<下肢置き台の構成>
【００１７】
本発明の実施形態の一例である下肢置き台１００は、互いに第１と第２のスライド機構Ｓ１、Ｓ２から成る高さ調節手段Ｗを介して上下方向へスライド可能に連結された下肢乗せ部１０１と基台部１３５とから成り、下肢乗せ部１０１は、互いに第３のスライド機構Ｓ３から成る第１の長さ調節手段Ｘを介して前後方向へスライド可能に連結された、上部正面部材１１８と上部背面部材１２０から成り、基台部１３５は、互いに第４のスライド機構Ｓ４から成る第２の長さ調節手段Ｙを介して前後方向へスライド可能に連結された下部正面部材１１０と下部背面部材１１２とから成る。そして、選択的に上部背面部材１２０に対して第５のスライド機構Ｓ５から成る第３の長さ調節手段Ｚを介して、前後方向へスライド可能に連結された踵支持部材１２２を付加する構成となっている。下肢乗せ部１０１の下肢置き面１０２は全体として床（床面）１４０に対して傾斜している。
【００１８】
即ち、下肢置き台１００は、側面視した場合に（図２と図３参照）、当該下肢乗せ部１０１の背面１０６から下肢置き面１０２に渡って側面略Ｌ字型に一体的に形成される上部背面部材（第１のＬ字型部材）１２０と、下肢置き面１０２から下肢乗せ部１０１の正面１０４に渡って略Ｌ字型に一体的に形成される上部正面部材（第２のＬ字型部材）１１８とから成る下肢乗せ部１０１と、正面１０４から下肢乗せ部１０１の底面１０８に渡って略Ｌ字型に一体的に形成される下部正面部材（第３のＬ字型部材）１１０と、底面１０８から背面１０６に渡って略Ｌ字型に一体的に形成される下部背面部材（第４のＬ字型部材）１１２とから成る基台部１３５と、を有している。また、下肢置き台１００は、高さ調節手段Ｗ（第１のスライド機構Ｓ１および第２のスライド機構Ｓ２）および下肢置き面１０２の第１の長さ調節手段Ｘ、第２の長さ調節手段Ｙ、及び第３の長さ調節手段Ｚ（第３のスライド機構Ｓ３および第４のスライド機構Ｓ４並びに第５のスライド機構Ｓ５）、を有している（詳細は後述する。）。
【００１９】
下肢乗せ部１０１を構成する上部背面部材１２０は、とくに図１乃至図５に示しているように、例えば１．２ｍｍ厚のアルミニウム材料よりなる１枚の板状体から構成されており、背面１０６を構成する背面構成部１２０Ｕから下肢置き面１０２を構成する下肢置き面構成部１２０Ｔにかけて所定の角度α（本実施形態においては１１５°）で鈍角なＬ字型に折り曲げられている。また、両側面には剛性を確保するためにフランジ部１２０Ｆが形成されている。背面構成部１２０Ｕ側のフランジ部１２０Ｆには、当該フランジ部１２０Ｆに沿って複数（図面では５個）の連結孔１２０Ａが形成されている。また、下肢置き面構成部１２０Ｔの両側上面には、それぞれ複数（図面では１２個ずつ）の連結孔１２０Ｂが形成されている。なお、これら連結孔１２０Ａ、１２０Ｂの数やピッチは、特に決められたものがある訳ではなく、必要に応じて適宜変更して構成することが可能である。なお、連結孔１２０Ｂは。フランジ部１２０Ｆに設けても良い。また、フランジ部１２０Ｆに設ける連結孔１２０Ａは背面構成部１２０Ｕに設けても良い。
【００２０】
同じく下肢乗せ部１０１を構成する上部正面部材１１８は、とくに図１乃至図３と図５に示しているように、例えば１．２ｍｍ厚のアルミニウム材料よりなる１枚の板状体から構成されており、下肢置き面１０２を構成する下肢置き面構成部１１８Ｔから正面１０４を構成する正面構成部１１８Ｍにかけて所定の角度β（本実施形態においては６５°）で鋭角なＬ字型に折り曲げられている。また、両側面には剛性を確保するためにフランジ部１１８Ｆが形成されている。正面構成部１１８Ｍ側のフランジ部１１８Ｆには、当該フランジ部１１８Ｆに沿って複数（図面では５個）の連結孔１１８Ａが形成されている。また、下肢置き面構成部１１８Ｔの両側上面には、それぞれ６つずつ連結孔１１８Ｂが形成されている。なお、これら連結孔１１８Ａ、１１８Ｂの数やピッチは、特に決められたものがある訳ではなく、必要に応じて適宜変更して構成することが可能である。なお、下肢置き面構成部１１８Ｔに設ける連結孔１１８Ｂは、フランジ部１１８Ｆに設けても良い。さらに、フランジ部１１８Ｆに設けられる連結孔１１８Ａは、正面構成部１１８Ｍに設けても良い。
【００２１】
基台部１３５を構成する下部正面部材１１０は、とくに図３に示しているように、例えば１．２ｍｍ厚のアルミニウム材料よりなる１枚の板状体から構成されており、正面１０４を構成する正面構成部１１０Ｍから底面１０８を構成する底面構成部１１０Ｓにかけて所定の角度γ（本実施形態においては９０°）でＬ字型に折り曲げられている。また、両側面には剛性を確保するためにフランジ部１１０Ｆが形成されている。正面構成部１１０Ｍ側のフランジ部１１０Ｆには、フランジ部１１０Ｆに沿って５つの連結孔１１０Ａが形成されている。また、底面構成部１１０Ｓ側の両フランジ部１１０Ｆにはそれぞれ１つずつの連結孔（図示せず）が形成されている。さらに、底面構成部１１０Ｓの両側上面には、それぞれ１ずつ脚部取付孔（図示せず）が形成されている。なお、これら連結孔１１０Ａと連結孔および脚部取付孔の数やピッチは、特に決められたものがある訳ではなく、必要に応じて適宜変更して構成することが可能である。なお、フランジ部１１０Ｆに設けられる連結孔１１０Ａは、正面構成部１１０Ｍに設けても良い。
【００２２】
同じく基台部１３５を構成する下部背面部材１１２は、図１乃至図４に示しているように、例えば１．２ｍｍ厚のアルミニウム材料よりなる１枚の板状体から構成されており、底面１０８を構成する底面構成部１１２Ｓから背面１０６を構成する背面構成部１１２Ｕにかけて所定の角度θ（本実施形態においては９０°）でＬ字型に折り曲げられている。また、両側面には剛性を確保するためにフランジ部１１２Ｆが形成されている。背面構成部１１２Ｕ側のフランジ部１１２Ｆには、フランジ部１１２Ｆに沿って複数（図面では５個）の連結孔１１２Ａが形成されている。また、底面構成部１１２Ｓ側の両フランジ部１１２Ｆにはそれぞれ１個ずつの連結孔（図示せず）が形成されている。さらに、底面構成部１１２Ｓの両側上面には、それぞれ１個ずつ脚部取付孔（図示せず）が形成されている。なお、これら連結孔１１２Ａ、連結孔（図示せず）および脚部取付孔（図示せず）の数やピッチは、特に決められたものがある訳ではなく、必要に応じて適宜変更して構成することが可能である。なお、フランジ部１１２Ｆに設けられる連結孔１１２Ａは、背面構成部１１２Ｕに設けても良い。
【００２３】
第２の長さ調節手段Ｙを構成する第１の連結ステー１１４は、図６のＡに示しているように、例えば１．２ｍｍ厚のアルミニウム材料よりなる長い平板状の部材であり、一端近傍に１つの連結孔１１４Ａが形成され、他端近傍および中程に、長手方向に沿ったスライド調節用長孔１１４Ｂが合計２つ形成されている。
【００２４】
第２の長さ調節手段Ｙを構成するもう一つの第２の連結ステー１１６は、図６のＢに示しているように、例えば１．２ｍｍ厚のアルミニウム材料よりなる長い平板状の部材であり、一端近傍に１つの連結孔１１６Ａが形成され、他端近傍および中程に、連結孔１１６Ｂが合計２つ形成されている。この２つの連結孔１１６Ｂの間隔Ｗ１は、前述した第１の連結ステー１１４に形成されたスライド調節用長孔１１４Ｂの間隔（例えばスライド調節用長孔１１４Ｂの左端同士の間隔）Ｗ１と同じとされている。
【００２５】
なお、第２の長さ調節手段Ｙは、第１の連結ステー１１４と第２の連結ステー１１６で構成すると、下肢置き台１００の重量が軽くなり持ち運びが楽になる利点があるが、必ずしもこのものに限定されるものではなく、第１の長さ調節手段Ｘのように構成することができる以外に、さまざまな公知手段に置き換えることができる。
【００２６】
踵支持部材１２２は、図１乃至図３に示しているように、例えば１．２ｍｍ厚のアルミニウム材料よりなる１枚の板状体から構成されており、下肢置き面１０２を構成する下肢置き面構成部１２２Ｔから踵支持面１２２Ｂにかけて９０°でＬ字型に折り曲げられている。また、下肢置き面構成部１２２Ｔの両サイド近傍には、第５のスライド機構Ｓ５を構成するところの、それぞれ複数（図面では５個ずつ）の連結孔１２２Ａが形成されている。なお、この連結孔１２２Ａの数やピッチは、特に決められたものがある訳ではなく、必要に応じて適宜変更して構成することが可能である。また、この踵支持部材１２２は、付加的な構成要件であって、この踵支持部材１２２があればなお便利であるが、この踵支持部材１２２がなくとも、第３と第４のスライド機構Ｓ３とＳ４で構成する第１と第２の長さ調節手段Ｘ、Ｙによって、下肢置き面１０２の長さを調節することができるものである。なお、この踵支持部材１２２の両側部にフランジ部を設けると強度が増すので好ましい。
【００２７】
上部背面部材１２０の下肢置き面構成部１２０Ｔと上部正面部材１１８の下肢置き面構成部１１８Ｔとは一部が重なるように配置される。このとき上部背面部材１２０の下肢置き面構成部１２０Ｔに設けられた連結孔１２０Ｂと上部正面部材１１８の下肢置き面構成部１１８Ｔに設けられた連結孔１１８Ｂとを利用して、ボルト１２５Ａとナット１２５Ｂから成る固定手段１２５にて両部材が連結固定される。なお、連結孔１１８Ｂ、１２０Ｂは傾斜方向に沿って複数設けられていることから、重なり部分をスライド調節して任意の位置にて固定し直すことが可能である（第３のスライド機構Ｓ３）。
【００２８】
上部正面部材１１８の正面構成部１１８Ｍと下部正面部材１１０の正面構成部１１０Ｍとは一部が重なるように配置される。このとき上部正面部材１１８のフランジ部１１８Ｆに設けられた連結孔１１８Ａと下部正面部材１１０のフランジ部１１０Ｆに設けられた連結孔１１０Ａとを利用して、ボルト１２５Ａおよびナット１２５Ｂから成る固定手段１２５にて両部材が連結固定される。なお、連結孔１１０Ａ、１１８Ａは上下方向に（フランジ延在方向に）複数設けられていることから、重なり部分をスライド調節して任意の位置にて固定し直すことが可能である（第２のスライド機構Ｓ２）。
【００２９】
上部背面部材１２０の背面構成部１２０Ｕと下部背面部材１１２の背面構成部１１２Ｕとは一部が重なるように配置される。このとき上部背面部材１２０のフランジ部１２０Ｆに設けられた連結孔１２０Ａと下部背面部材１１２のフランジ部１１２Ｆに設けられた連結孔１１２Ａとを利用して、ボルト１２５Ａおよびナット１２５Ｂから成る固定手段１２５にて両部材が連結固定される。なお、連結孔１１２Ａ、１２０Ａは上下方向に（フランジ延在方向に）複数設けられていることから、重なり部分をスライド調節して任意の位置にて固定し直すことが可能である（第１のスライド機構Ｓ１）。
【００３０】
下部正面部材１１０と下部背面部材１１２とは、２本の連結ステー（第１の連結ステー１１４および第２の連結ステー１１６）により連結されている。具体的には、次のような態様で連結されている。当該第１の連結ステー１１４に形成された連結孔１１４Ａと下部正面部材１１０のフランジ部１１０Ｆに形成された連結孔（図示せず）とを利用して、第１の連結ステー１１４と下部正面部材１１０が、ボルト１２５Ａおよびナット１２５Ｂから成る固定手段１２５により固定される。また、第２の連結ステー１１６に形成された連結孔１１６Ａと下部背面部材１１２のフランジ部１１２Ｆに形成された連結孔（図示せず）とを利用して、第２の連結ステー１１６と下部背面部材１１２が、ボルト１２５Ａおよびナット１２５Ｂから成る固定手段１２５により固定される。その上で、第１の連結ステー１１４に形成されたスライド調節用長孔１１４Ｂと第２の連結ステー１１６に形成された連結孔１１６Ｂを利用して、第１の連結ステー１１４と第２の連結ステー１１６が、連結される。スライド調節用長孔１１４Ｂは、文字通り「長孔」であることから。ボルト１２５Ａおよびナット１２５Ｂから成る固定手段１２５を緩めることで、第１の連結ステー１１４と第２の連結ステー１１６とをスライドして任意の位置で固定することが可能である（第４のスライド機構Ｓ４）。なお、第１、第２の連結ステー１１４、１１６は、下肢乗せ部１０１の両側面に備わっている。
【００３１】
踵支持部材１２２は、ボルト１２５Ａおよびナット１２５Ｂから成る固定手段１２５によって、下肢乗せ部１０１の下肢置き面１０２に固定される。より具体的には、上部背面部材１２０の下肢置き面構成部１２０Ｔに設けられた連結孔１２０Ｂと踵支持部材１２２に形成された連結孔１２２Ａを利用して固定されている。これらの連結孔１２０Ｂ、１２２Ａは傾斜方向にそって複数形成されていることから、取り付け位置を変更することにより、事実上、下肢置き面１０２の傾斜方向の長さを調節することが可能となっている。即ち、下肢乗せ部１０１に備わる第３のスライド機構Ｓ３および基台部１３５に備わる第４のスライド機構Ｓ４からなる第１の長さ調節手段Ｘと第２の長さ調節手段Ｙによる下肢置き面の長さ調節に加えて、第５のスライド機構Ｓ５から成る第３の長さ調節手段Ｚよって、踵支持部材１２２をスライドさせてその取付位置の変さらにより、下肢置き面１０２の長さ（傾斜方向長さ）を調節することも可能となっている。
【００３２】
なお、上記第１乃至第５のスライド機構Ｓ１〜Ｓ５においては、複数の連結孔を利用した段階的な調節であるが、例えば、長孔を使用して無段階的に調節できる構成を採用しても良い。そのような構成とすればより微調節ができるといった利点がある。
【００３３】
また、下部正面部材１１０の底面構成部１１０Ｓに形成されている２つの連結孔（図示せず）を利用して、当該下肢置き台１００の脚部となるゴム脚１３０が取り付けられている。同様に、下部背面部材１１２の底面構成部１１２Ｓに形成されている２つの連結孔（図示せず）を利用して、当該下肢置き台１００の脚部となるゴム脚１３０が取り付けられている。なお、これらのゴム脚１３０は、回転させることによって高さ方向の微調節が可能となっている。
【００３４】
なお、材質は上記示したアルミニウム以外にも足置きとしての剛性を確保することができる限りに種々の材質のものを用いることができる。上記のようにアルミニウムを使用すれば軽量且つ錆に強い下肢置き台とすることができる。また、スチール製とすれば加工が容易であり且つ低コストで下肢置き台を提供できる。さらに、金属以外にも使用状況やコストに応じて各種プラスチック材料を利用してもよい。
【００３５】
また、下肢置き面１０２に細かな複数のパンチ孔を設ければ軽くなり、下肢置き面１０２に載せた下肢に対する適度な空気の循環を促すことができ、使用感が快適となる。さらに細かな凹凸をつけることで、下肢置き面１０２に載せた下肢のマッサージ効果を発揮させたり、滑り難い効果を発揮させることもできる。
【００３６】
また、必要に応じて、下肢置き面１０２にクッション性のある素材を貼付すれば、さらに心地よさが増し、長時間下肢置き台に足を置いていても、足が痛くなる等の不具合が発生することはない。
【００３７】
<下肢置き台の作用>
【００３８】
下肢置き台１００は、例えば、図７に示しているように、机２００の下に配置し、椅子２３０に人２１０が腰を下ろした状態で使用する。このとき、下肢置き台１００の正面（高さが高くなっている側）を手前にし、背面（高さが低くなっている側）が向こう側になるように配置する。その上で、椅子２３０に腰を降ろして下肢全体を下肢置き台１００の上に載せて使用する。本発明にかかる下肢置き台１００は、足裏部分のみを載せるのではなく、少なくとも大腿部を含む膝から下の足全体を載せることができるため、足裏部分のみを乗せる下肢置き台に比べて、足全体を休めるという効果が大きい。なお、指示記号２２０は、例えばラップトップ型のパソコンである。
【００３９】
また、図１乃至図３に示したように、下肢置き面１０２の傾斜方向に長さを調節可能な長さ調節手段Ｘ、Ｙ、Ｚ（第３のスライド機構Ｓ３および第４のスライド機構Ｓ４並びに第５のスライド機構Ｓ５から成る）を備えたことにより、下肢全体の長さに応じて最適な長さに調節することが可能となる結果、「下肢を休める」という機能を十分に発揮させることができる。
【００４０】
下肢置き面１０２の長さ調節手段Ｘ、Ｙ、Ｚを構成している第３のスライド機構Ｓ３、および第４のスライド機構Ｓ４、並びに第５のスライド機構Ｓ５のスライド調節は、ボルト１２５Ａおよびナット１２５Ｂから成る各固定手段１２５を緩めて取り外し（第４のスライド機構Ｓ４ではボルト１２５Ａを緩めるのみでも可）、各連結孔１１８Ｂ、１２０Ｂ、１２２Ａの位置を適当な位置にスライド調節したうえで、再度ボルト１２５Ａおよびナット１２５Ｂにより固定し直すといった作業を行う。
【００４１】
さらに、図２に示したように、床面１４０に対する下肢置き面１０２の高さを調節する高さ調節手段Ｗ（第１のスライド機構Ｓ１および第２のスライド機構Ｓ２）を備えていることから、例えば図７に示したように、高さ調節可能な椅子２３０に座り、当該椅子２３０の高さを調節したような場合でも、それに応じて下肢置き面１０２の高さを調節することができる。
【００４２】
高さ調節手段Ｗを構成している第１のスライド機構Ｓ１および第２のスライド機構Ｓ２の調節は、固定手段１２５のボルト１２５Ａおよびナット１２５Ｂを緩めて取り外し、各連結孔１１０Ａ、１１８Ａ・１１２Ａ、１２０Ａの位置を適当な位置にスライド調節したうえで、再度ボルト１２５Ａおよびナット１２５Ｂから成る固定手段１２５により固定し直すといった作業を行う。なお、ボルト１２５Ａは、いずれのスライド機構Ｓ１〜Ｓ５においても、これをドライバーを用いるネジ、或は蝶ネジ、その他のネジ及び固定手段とすることができる。また、各スライド機構Ｓ〜Ｓ３とＳ５は、各連結孔１１８Ｂ、１２０Ｂ・１２２Ａ、１２０Ｂの孔合わせと固定手段１２５によっているが、このものに限定されず、各連結孔をガイド長孔に形成してスライドさせることによっても良い。
【産業上の利用可能性】
【００４３】
本発明は、とくに机や作業台等の椅子に座ってのデスク作業の際に、机や作業台の下に置いて下肢を置き、その疲れを防止するために用いる下肢置き台として適している。
【符号の説明】
【００４４】
１００…下肢置き台
１０１…下肢乗せ部
１０２…下肢置き面
１０４…正面
１０６…背面
１０８…底面
１１０…下部正面部材
１１０Ａ、１１２Ａ、１１６Ａ、１１６Ｂ、１１８Ａ、１１８Ｂ、１２０Ａ、１２０Ｂ、１２２Ａ…連結孔
１１２…下部背面部材
１１４…第１の連結ステー
１１４Ｂ…スライド調節用長孔
１１６…第２の連結ステー
１１８…上部正面部材
１２０…上部背面部材
１２２…踵支持部材
１２２Ｂ…踵支持面
１３０…脚部
１３５…基台部
１４０…床（床面）
Ｓ１〜Ｓ５…第１〜第５スライド機構
Ｗ…高さ調節手段
Ｘ…第１の長さ調節手段
Ｙ…第２の長さ調節手段
Ｚ…第３の長さ調節手段
【図１】
2010167160.tif 000003
【図２】
2010167160.tif 000004
【図３】
2010167160.tif 000005
【図４】
2010167160.tif 000006
【図５】
2010167160.tif 000007
【図６】
2010167160.tif 000008
【図７】
2010167160.tif 000009